(57)【特許請求の範囲】
【請求項１】
所定数の電子機器に接続されると共に、該電子機器に使用できるコマンドを表示する表示器に接続され、上記電子機器の動作を制御するコントロール装置において、
上記電子機器に使用できるコマンドに関する所定のコマンド表示データを、該電子機器から受信して記憶する記憶手段と、
上記記憶手段に記憶された上記コマンド表示データを、上記表示器の表示領域に基づいて変換し、該変換されたコマンド表示データに基づいて上記コマンドを上記表示器に表示するためのコマンド表示信号を生成し、該生成されたコマンド表示信号を上記表示器に供給する表示制御手段と、
上記所定数の電子機器より所定の電子機器を選択すると共に、該選択された電子機器に送信するコマンドを選択する入力手段と
を備えることを特徴とするコントロール装置。
【請求項２】
上記表示制御手段は、上記表示器の表示領域を所定数に分割し、各表示領域にそれぞれ別個の電子機器に使用できるコマンドを選択的に表示するコマンド表示信号を生成する
ことを特徴とする請求項１に記載のコントロール装置。
【請求項３】
上記表示制御手段は、上記表示領域に基づいて上記コマンド表示データの表示大きさに係るデータを変換して上記コマンド表示信号を生成する
ことを特徴とする請求項１または２に記載のコントロール装置。
【請求項４】
上記表示器は複数の表示器からなり、
上記表示制御手段は、所定の電子機器に使用できるコマンドを複数のカテゴリーで分類するとともに、各表示器の表示領域にそれぞれ別個のカテゴリーのコマンドを選択的に表示するコマンド表示信号を生成する
ことを特徴とする請求項１に記載のコントロール装置。
【請求項５】
上記表示制御手段は、上記表示領域に基づいて上記コマンド表示データの表示位置に係るデータを変換して上記コマンド表示信号を生成する
ことを特徴とする請求項１または４に記載のコントロール装置。
【請求項６】
所定数の電子機器に接続されると共に、該電子機器に使用できるコマンドを表示する表示器に接続され、上記電子機器の動作を制御するコントロール装置のコマンド表示方法であって、
上記電子機器に使用できるコマンドに関する所定のコマンド表示データを、該電子機器から受信するコマンド表示データ受信工程と、
上記受信されたコマンド表示データを、上記表示器の表示領域に基づいて変換し、該変換されたコマンド表示データに基づいて上記コマンドを上記表示器に表示するためのコマンド表示信号を生成し、該生成されたコマンド表示信号を上記表示器に供給する表示制御工程と
を有することを特徴とするコマンド表示方法。
【発明の詳細な説明】
【０００１】
【発明の属する技術分野】
この発明は、例えば複数のオーディオ機器やビデオ機器等の電子機器（以下、「ＣＥ（Consumer Electronics)装置」という）の動作を制御するコントロール装置およびそのコマンド表示方法に関する。
【０００２】
【従来の技術】
図１０は、複数のＣＥ装置の動作をＣＥコントローラで制御するようにした従来の電子機器装置の一例を示している。図において、１Ａ〜１Ｃはそれぞれオーディオ機器やビデオ機器等のＣＥ装置であり、２はＣＥ装置１Ａ〜１Ｃの動作を制御するためのＣＥコントローラである。ＣＥ装置１Ａ〜１ＣはそれぞれＣＥコントローラ２に接続される。ＣＥコントローラ２にはキー入力部３および表示器４が接続される。
【０００３】
ＣＥコントローラ２は、予め、接続が予定されるＣＥ装置を制御するためのコマンドに係る情報（コマンドフォーマット、使用できるコマンドの種類、各コマンドのデータ等）を備えている。そのため、キー入力部３で制御すべきＣＥ装置が選択されると、選択されたＣＥ装置で使用できるコマンドの種類が表示器４に表示される。また、表示器４の表示を参照してキー入力部３で所定のコマンドが選択されると、ＣＥコントローラ２より選択されたＣＥ装置に選択されたコマンドに係るコマンド信号が供給される。
【０００４】
【発明が解決しようとする課題】
図１０の例によれば、ＣＥコントローラ２は、予め、接続が予定されるＣＥ装置を制御するためのコマンドに係る情報を備えるものである。そのため、接続が予定されているＣＥ装置しか制御できないという問題点があった。
【０００５】
この発明は、例えば接続される全ての電子機器の制御を行い得るものにあって、当該電子機器に使用できるコマンドを表示器に適切に表示し得るコントロール装置およびそのコマンド表示方法を提供するものである。
【０００６】
【課題を解決するための手段】
この発明に係るコントロール装置は、所定数の電子機器に接続されると共に、この電子機器に使用できるコマンドを表示する表示器に接続され、電子機器の動作を制御するコントロール装置において、電子機器に使用できるコマンドに関する所定のコマンド表示データを、この電子機器から受信して記憶する記憶手段と、この記憶手段に記憶されたコマンド表示データを、表示器の表示領域に基づいて変換し、この変換されたコマンド表示データに基づいてコマンドを表示器に表示するためのコマンド表示信号を生成し、この生成されたコマンド表示信号を表示器に供給する表示制御手段と、所定数の電子機器より所定の電子機器を選択すると共に、この選択された電子機器に送信するコマンドを選択する入力手段とを備えるものである。
【０００７】
また、この発明に係るコマンド表示方法は、所定数の電子機器に接続されると共に、この電子機器に使用できるコマンドを表示する表示器に接続され、電子機器の動作を制御するコントロール装置のコマンド表示方法であって、電子機器に使用できるコマンドに関する所定のコマンド表示データを、この電子機器から受信するコマンド表示データ受信工程と、この受信されたコマンド表示データを、表示器の表示領域に基づいて変換し、この変換されたコマンド表示データに基づいてコマンドを表示器に表示するためのコマンド表示信号を生成し、この生成されたコマンド表示信号を表示器に供給する表示制御工程とを有するものである。
【０００８】
この発明においては、電子機器で使用できるコマンドに関する所定のコマンド表示データが、当該電子機器から受信される。このコマンド表示データが表示器の表示領域に基づいて変換される。例えば、表示器の表示領域に基づいてコマンド表示データの表示大きさに係るデータが変換される。また例えば、表示器の表示領域に基づいて、コマンド表示データの表示位置に係るデータが変換される。
【０００９】
このように変換されたコマンド表示データに基づいてコマンドを表示器に表示するためのコマンド表示信号が生成される。これにより、電子機器で使用できるコマンドを、表示器に、適切な状態で表示できる。
【００１０】
【実施例】
以下、図１を参照しながら、この発明の一実施例について説明する。
図において、１１，１２はそれぞれＣＥ装置であり、１１ａ，１２ａはそれぞれ後述するＣＥコントローラとの間の通信やＣＥ装置１１，１２の各部の動作を制御するためのマイクロプロセッサである。マイクロプロセッサ１１ａ，１２ａはそれぞれＣＥバスインタフェース１１ｃ，１２ｃを介してＣＥバス１４に接続される。マイクロプロセッサ１１ａ，１２ａには、それぞれＣＥ装置１１，１２で使用できるコマンドに係る情報が予め記憶されたメモリ１１ｂ，１２ｂが接続される。コマンドに係る情報とは、コマンドパラーメータデータと、コマンドボタンデータである。
【００１１】
コマンドパラメータデータは、例えばビット数、「１」、「０」のパルス幅、各コマンドの「１」、「０」のパターン等である。コマンドボタンデータは、主として後述する表示器にコマンドをボタン形式で表示するためのデータである。図２は、ＣＥ装置がＶＴＲであるときのコマンドボタンデータの一部を示しているが、コマンドボタンデータは各コマンドの名前、各コマンドのボタン形状、各コマンドのボタンの表示位置、各コマンドのボタンの表示色、各コマンドの実行条件等のデータである。
【００１２】
また、１３はＣＥコントローラであり、１３ａはＣＥコントローラ１３に接続されるＣＥ装置、例えばＣＥ装置１１，１２との間の通信やＣＥコントローラ１３の各部の動作を制御するためのマイクロプロセッサである。マイクロプロセッサ１３ａはＣＥバスインタフェース１３ｄを介してＣＥバス１４に接続される。また、マイクロプロセッサ１３ａには、コマンドパラメータ用メモリ１３ｂおよびコマンドボタンデータ用メモリ１３ｃが接続される。メモリ１３ｂには、ＣＥコントローラ１３に接続されるＣＥ装置のそれぞれより送られるコマンドパラメータデータが記憶される。また、メモリ１３ｃには、ＣＥコントローラ１３に接続されるＣＥ装置のそれぞれより送られるコマンドボタンデータが記憶される。
【００１３】
メモリ１３ｂおよび１３ｃには、それぞれ以下の手順によってコマンドパラメータデータおよびコマンドボタンデータが記憶される。
【００１４】
すなわち、ＣＥコントローラ１３のマイクロプロセッサ１３ａはインタフェース１３ｄを介してＣＥバス１４に所定時間間隔をもって“コマンドパラメータデータ要求”のコマンド信号を送出する。この状態でＣＥ装置１１のマイクロプロセッサ１１ａがインタフェース１１ｃを介してＣＥバス１４に接続されると、ＣＥバス１４よりインタフェース１１ｃを介して“コマンドパラメータデータ要求”のコマンド信号がＣＥ装置１１のマイクロプロセッサ１１ａに供給される。
【００１５】
ＣＥ装置１１のマイクロプロセッサ１１ａは、“コマンドパラメータデータ要求”のコマンド信号に対応して、メモリ１１ｂよりコマンドパラメータデータを読み出し、装置番号データを付加した後にインタフェース１１ｃを介してＣＥバス１４に送出する。このコマンドパラメータデータはインタフェース１３ｄを介してＣＥコントローラ１３のマイクロプロセッサ１３ａに供給される。そして、マイクロプロセッサ１３ａよりメモリ１３ｂに供給されて所定のアドレスに書き込まれる。
【００１６】
次に、メモリ１３ｂへのコマンドパラメータデータの書き込みが終了した後に、ＣＥコントローラ１３のマイクロプロセッサ１３ａはインタフェース１３ｄを介してＣＥバス１４に“コマンドボタンデータ要求”のコマンド信号を装置番号データを付加して送出する。この“コマンドボタンデータ要求”のコマンド信号はＣＥバス１４よりインタフェース１１ｃを介してＣＥ装置１１のマイクロプロセッサ１１ａに供給される。
【００１７】
ＣＥ装置１１のマイクロプロセッサ１１ａは、“コマンドボタンデータ要求”のコマンド信号に付加された装置番号データより、そのコマンド信号が自己に対するものであることを認識した後、メモリ１１ｂよりコマンドボタンデータを読み出し、装置番号データを付加した後にインタフェース１１ｃを介してＣＥバス１４に送出する。このコマンドボタンデータはインタフェース１３ｄを介してＣＥコントローラ１３のマイクロプロセッサ１３ａに供給される。そして、マイクロプロセッサ１３ａよりメモリ１３ｃに供給されて所定のアドレスに書き込まれる。
【００１８】
なお、ＣＥ装置１１の装置番号は接続時に例えばマニュアルで設定されるが、ＣＥコントローラ１３との間でＣＥバス１４を介して通信によって自動的に設定されるようにしてもよい。また、上述では、ＣＥ装置１１がＣＥバス１４を介してＣＥコントローラ１３に接続された際に直ちにＣＥ装置１１よりＣＥコントローラ１３にコマンドパラメータデータを送る動作が開始される旨説明したが、ＣＥ装置１１の接続時点でＣＥ装置１１あるいはＣＥコントローラ１３がパワーオフの状態にあるときは、パワーオン後にＣＥ装置１１よりＣＥコントローラ１３にコマンドパラメータデータを送る動作が開始される。
【００１９】
以上はＣＥ装置１１がＣＥバス１４に接続される場合であって、このＣＥ装置１１のコマンドパラメータデータおよびコマンドボタンデータがそれぞれＣＥコントローラ１３のメモリ１３ｂおよび１３ｃに記憶される手順を説明したが、ＣＥ装置１２のコマンドパラメータデータおよびコマンドボタンデータも、ほぼ同様の手順によってＣＥコントローラ１３のメモリ１３ｂおよび１３ｃに記憶される。
【００２０】
ただし、ＣＥ装置１２のマイクロプロセッサ１２ａは、ＣＥ装置１１と異なり、インタフェース１２ｄおよびインタフェース１３ｅを介してＣＥコントローラ１３のマイクロプロセッサ１３ａに接続される。そのため、ＣＥコントローラ１３のマイクロプロセッサ１３ａからの“コマンドパラメータデータ要求”や“コマンドボタンデータ要求”等の基本的なコマンド信号を除き、その他のコマンド信号はＣＥコントローラ１３のマイクロプロセッサ１３ａよりインタフェース１３ｅ，１２ｄを介してＣＥ装置１２のマイクロプロセッサ１２ａに供給される。
【００２１】
したがって、ＣＥコントローラ１３のマイクロプロセッサ１３ａからの“コマンドパラメータデータ要求”に対応して、ＣＥ装置１２のマイクロプロセッサ１２ａはインタフェースを指定すると共に、その指定したインタフェース上でのコマンドパラメータをＣＥバス１４に装置番号データを付して送出する。例えば、インタフェースとしてＲＳ−２３２Ｃを指定した場合、ボーレート、パリティ等の物理層でのデータや、コマンドのヘッダ、バイト数等の論理層でのデータがコマンドパラメータデータとして送られる。
【００２２】
なお、上述ではＣＥコントローラ１３のマイクロプロセッサ１３ａはインタフェース１３ｄを介してＣＥバス１４に所定時間間隔をもって“コマンドパラメータデータ要求”のコマンド信号を送出するものであるが、ＣＥ装置１１，１２がＣＥバス１４の接続確認用の専用ラインに個々に接続されるものでは、例えば以下のようにして“コマンドパラメータデータ要求”が行われる。この場合、接続確認用の専用ラインに個々に接続されることで、ＣＥコントローラ１３は接続されたＣＥ装置の装置番号を決定できるため、マニュアル等で装置番号を設定することは必要なくなる。
【００２３】
ＣＥコントローラ１３のマイクロプロセッサ１３ａは接続確認用の専用ラインでもってＣＥ装置の接続確認を行うことができ、このマイクロプロセッサ１３ａよりインタフェース１３ｄを介してＣＥバス１４に“コマンドパラメータデータ要求”のコマンド信号が接続確認されたＣＥ装置の装置番号データを付して送出される。これに対して、接続確認されたＣＥ装置のマイクロプロセッサは、それが自己に対するものであることを確認した後に装置番号データを付加してコマンドパラメータデータをＣＥバス１４に送出する。以下は、ＣＥコントローラ１３のマイクロプロセッサ１３ａよりＣＥバス１４に所定時間間隔をもって“コマンドパラメータデータ要求”のコマンド信号を送出する場合と同様である。
【００２４】
また、ＣＥ装置１１，１２がＣＥバス１４の接続確認用の専用ラインに共通に接続されるものでは、例えば以下のようにして“コマンドパラメータデータ要求”が行われる。
【００２５】
すなわち、ＣＥコントローラ１３のマイクロプロセッサ１３ａは接続確認用の専用ラインによってＣＥ装置の接続確認を行うことができ、このマイクロプロセッサ１３ａよりインタフェース１３ｄを介してＣＥバス１４に“コマンドパラメータデータ要求”のコマンド信号が送出される。このコマンド信号はＣＥバス１４に接続されたＣＥ装置に供給されるため、そのＣＥ装置のマイクロプロセッサはコマンドパラメータデータを装置番号データを付加した後にＣＥバス１４に送出する。以下は、ＣＥコントローラ１３のマイクロプロセッサ１３ａよりＣＥバス１４に所定時間間隔をもって“コマンドパラメータデータ要求”のコマンド信号を送出する場合と同様である。
【００２６】
また、ＣＥコントローラ１３のマイクロプロセッサ１３ａには、リモコンコマンダ１５より出力されるリモコン信号を受信するリモコン信号受信部１３ｆが接続されると共に、表示制御回路１３ｇが接続される。なお、１３ｈは他のＣＥ装置が接続されるインタフェースである。
【００２７】
本例では、リモコンコマンダ１５のキー操作によって、ＣＥコントローラ１３にＣＥバス１４を介して接続されるＣＥ装置、本例ではＣＥ装置１１，１２に使用できるコマンドを表示器１６にボタン形式で選択的に表示することができる。
【００２８】
この場合、リモコンコマンダ１５のキー操作でコマンド表示を行うためのＣＥ装置が指定される。マイクロプロセッサ１３ａは、メモリ１３ｃより指定されたＣＥ装置のコマンド表示データ（各コマンドの名前、各コマンドのボタン形状、各コマンドのボタンの表示位置、各コマンドのボタンの表示色等のデータ）を読み出し、このコマンド表示データを表示制御回路１３ｇに供給する。
【００２９】
表示制御回路１３ｇではコマンド表示データに基づいてコマンド表示信号が形成される。この表示制御回路１３ｇより出力されるコマンド表示信号は、ＣＲＴやＬＣＤ等の表示器１６に供給され、これにより表示器１６に指定されたＣＥ装置のコマンドがボタン形式で表示される。ここで、ＣＥ装置が想定している表示領域ＬCEが表示器１６の表示領域ＬDSと異なるときは、表示制御回路１３ｇで拡大あるいは縮小の変換処理が行われて、表示器１６に適切な大きさでコマンド表示が行われる。
【００３０】
例えば、表示領域ＬCEが図３Ａに示すように１００×８０ドットであるのに対して、表示領域ＬDSが同図Ｂに示すように６４０×４８０ドットであるときは、表示器１６の画面いっぱいに表示されるように、ＣＥ装置の表示データ（表示位置、ボタン形状、ボタンの名前等）の縦、横比の変換が行われる。例えば、ＣＥ装置の表示データが図４Ａに示すようであるとき、表示器１６には同図Ｂに示すように縦、横比が変換されて表示される。
【００３１】
また、リモコンコマンダ１５のキー操作で２つ以上のＣＥ装置のコマンドの表示を同時に行う場合、ＣＥ装置が想定している表示領域ＬCEと表示器１６の表示領域ＬDSの大きさ関係より、表示制御回路１３ｇでは必要に応じて縮小の変換処理が行われ、表示器１６に適切な大きさでコマンド表示が行われる。
【００３２】
例えば、ＣＥ装置１１，１２のコマンドの表示を同時に行う際、ＣＥ装置１１，１２の表示領域ＬCEが図５Ａ，Ｂに示すようにそれぞれ１００×８０ドットであるとき、同図Ｃに示すように表示領域ＬDSが６４０×４８０ドットである表示器１６には縮小の変換処理をせずにＣＥ装置１１，１２のコマンドが横方向に並べて表示される。なお、図５Ｃのコマンド表示において、ＣＥ−ＡはＣＥ装置１１のコマンド表示を示し、ＣＥ−ＢはＣＥ装置１２のコマンド表示を示している。
【００３３】
これに対して、例えば、ＣＥ装置１１，１２のコマンドの表示を同時に行う際、ＣＥ装置１１，１２の表示領域ＬCEが図６Ａ，Ｂに示すようにそれぞれ６４０×４８０ドットであるとき、同図Ｃに示すように表示領域ＬDSが６４０×４８０ドットである表示器１６には横方向に１／２に縮小変換処理されてＣＥ装置１１，１２のコマンドが横方向に並べて表示される。なお、図６Ｃのコマンド表示において、ＣＥ−ＡはＣＥ装置１１のコマンド表示を示し、ＣＥ−ＢはＣＥ装置１２のコマンド表示を示している。
【００３４】
なお、本例とは異なるが、ＣＥコントローラ１３に複数の表示器が接続されているものでは、１個のＣＥ装置のコマンド表示をカテゴリー毎に分割して各表示器に表示させることも考えられる。例えば、ＣＥ装置がＶＴＲであって図７Ａに示すようにコマンドとして録再系とチューナ系があり、一方図１に破線で示すように表示器１６の他に表示器１６ａを有する場合には、図７Ｂ，Ｃに示すように表示器１６には録再系のコマンド表示が行われ、表示器１６ａにはチューナ系のコマンド表示が行われる。
【００３５】
この場合、表示器１６，１６ａの各画面でコマンド表示が片寄ってしまう場合には、表示制御回路１３ｇで中央寄せのための位置変換処理を行うようにすればよい。例えば、図８Ａに示すように表示器１６に表示される録再系の表示領域ＬRPがＡ×Ｂドットであって、その表示領域ＬRPの横方向の開始座標がｘ、縦方向の開始座標がｙであり、表示器１６の表示領域ＬDSがＣ×Ｄドットであるとき（Ａ＜Ｃ、Ｂ＜Ｄ）、図８Ｂに示すように横方向はｘだけ減算された後にａ＝（Ｃ−Ａ）／２が加算され、縦方向はｙだけ減算された後にｂ＝（Ｄ−Ｂ）／２が加算される位置変換処理が行われる。このような位置変換処理を行うことで、表示領域ＬRPは中央に寄せられる。
【００３６】
このように本例では、リモコンコマンダ１５のキー操作によって、ＣＥコントローラ１３にＣＥバス１４を介して接続されるＣＥ装置、本例ではＣＥ装置１１，１２に使用できるコマンドを表示器１６にボタン形式で表示できる。そして本例では、このようなコマンド表示等を参照して、リモコンコマンダ１５でＣＥ装置およびコマンドを選択できる。ＣＥ装置およびコマンドの選択は、リモコンコマンダ１５のキー操作で直接ＣＥ装置およびコマンドを入力して行うことも考えられるが、本例では表示器１６に表示されたコマンド表示（アイコン）を、図９に示すようにカーソル２０の移動によって選択することで簡単に行うことができる。この場合、コマンドボタンデータ（図２参照）の実行条件（execute condition）を満たす場合のみ、ＣＥ装置およびコマンドの選択が有効とされる。
【００３７】
ＣＥコントローラ１３のマイクロプロセッサ１３ａは、表示器１６のどの位置にどのＣＥ装置のいかなるコマンド表示をしているか把握しており、またカーソル２０の表示位置も把握している。したがって、ＣＥコントローラ１３のマイクロプロセッサ１３ａはカーソル２０によってどのＣＥ装置のいかなるコマンドが選択されているかを認識できる。
【００３８】
図２において、「ＣＬＩＣＫ」および「ＤＯＵＢＬＥ  ＣＬＩＣＫ」は、マウスのクリックキーに対応するリモコンコマンダ１５のキーをそれぞれ１回および２回押すことを意味している。なお、図１には図示せずも、ＣＥコントローラ１３のマイクロプロセッサ１３ａにマウスが接続されているときは、そのマウスを使用してカーソル２０の移動およびクリックキーによる実行指示を行うようにしてもよい。
【００３９】
上述したようにリモコンコマンダ１５やマウスによって選択されるＣＥ装置およびコマンドが有効であるときは、ＣＥコントローラ１３のマイクロプロセッサ１３ａは、メモリ１３ｂに記憶されたコマンドパラメータデータに基づいて選択されたコマンドに係るコマンド信号を所定のフォーマットで形成し、そのコマンド信号を選択されたＣＥ装置に送る。この場合、ＣＥ装置１１のようにＣＥバス１４を介してのみＣＥコントローラ１３に接続されているＣＥ装置の場合には、コマンド信号はＣＥバス１４を介して供給される。一方、ＣＥバス１４の他にＣＥ装置１２のように別途インタフェース１３ｅ，１２ｄを介してＣＥコントローラ１３に接続されている場合には、コマンド信号はインタフェース１３ｅ，１２ｄを介して供給される。このようにインタフェース１３ｅ，１２ｄを介してコマンド信号を供給するものにあっては、ＣＥバス１４を介してのコマンド信号の転送レートより速いときは、ＣＥ装置を即座にコントロールできる等の利益がある。
【００４０】
上述せずも、表示器１６には、コマンド表示の色を変化させるなどして各ＣＥ装置がどの状態にあるかを表示できる。上述したようにＣＥコントローラ１３のマイクロプロセッサ１３ａよりコマンド信号が供給されたＣＥ装置からは、状態が変化すると変化した後の状態を示す状態信号がＣＥバス１４等を介してＣＥコントローラ１３のマイクロプロセッサ１３ａに送られる。これにより、マイクロプロセッサ１３ａは表示制御回路１３ｇを制御して、表示器１６のコマンド表示の色等を変化させて選択されたＣＥ装置の状態の変化を表示できる。なお、上述実施例においては、表示データの変換処理を表示制御回路１３ｇが行っているが、マイクロプロセッサ１３ａがこれを行うようにしてもよい。
【００４１】
このように本例によれば、ＣＥコントローラ１３のマイクロプロセッサ１３ａに接続されたメモリ１３ｂには、ＣＥバス１４を介してＣＥコントローラ１３に接続されたＣＥ装置、例えばＣＥ装置１１，１２のそれぞれよりコマンドパラメータデータが送られて記憶されるものであり、従来のように接続が予定されているＣＥ装置を制御するためのコマンドパラメータデータのみが予め記憶されているものではなく、ＣＥコントローラ１３によって、それに接続される全てのＣＥ装置の制御を良好に行うことができる。
【００４２】
また、ＣＥコントローラ１３のマイクロプロセッサ１３ａに接続されたメモリ１３ｃには、ＣＥバス１４を介してＣＥコントローラ１３に接続されたＣＥ装置、例えばＣＥ装置１１，１２のそれぞれよりコマンドボタンデータが送られて記憶され、このコマンドボタンデータに基づいて表示器１６に各ＣＥ装置で使用できるコマンドを表示できるので、ユーザは表示器１６の表示を参照することでＣＥ装置およびコマンドの選択を容易に行うことができる。しかも、ＣＥ装置およびコマンドの選択を表示器１６上のカーソルの移動でコマンド表示を選択するのみで簡単に行うことができる。
【００４３】
なお、上述実施例においては、“コマンドパラメータデータ要求”のコマンド信号に応答して、ＣＥ装置１１，１２のマイクロプロセッサ１１ａ，１２ａよりＣＥコントローラ１３のマイクロプロセッサ１３ａにコマンドパラメータデータが送られ、このコマンドパラメータデータがメモリ１３ｂに記憶されるものを示したが、コマンドパラメータデータの代わりに、各コマンドに係るコマンド信号そのものを送って記憶させることも考えられる。この場合、ＣＥコントローラ１３のマイクロプロセッサ１３ａでもって例えばＣＥ装置の所定ポートをローレベル「Ｌ」におとすことでコマンド信号の送りタイミングが指示される。
【００４４】
また、上述実施例においては、２個のＣＥ装置１１，１２が接続された例を示したが、この発明はさらに多数のＣＥ装置がＣＥコントローラ１３に接続される場合にも同様に適用できることが勿論である。
【００４５】
【発明の効果】
この発明によれば、電子機器から受信されたコマンド表示データを表示器の表示領域に基づいて変換し、この変換されたコマンド表示データに基づいてコマンドを表示器に表示するためのコマンド表示信号を生成するものであり、電子機器で使用できるコマンドを、表示器に適切な状態で表示できる。
【図面の簡単な説明】
【図１】この発明に係る電子機器装置の構成を示すブロック図である。
【図２】コマンドボタンデータの例を示す図である。
【図３】ＣＥ装置の想定表示領域と表示器の表示領域の一例を示す図である。
【図４】表示の拡大処理を説明するための図である。
【図５】２個のＣＥ装置のコマンド同時表示の例を示す図である。
【図６】２個のＣＥ装置のコマンド同時表示（縮小）の例を示す図である。
【図７】複数個の表示器への分割表示の例を示す図である。
【図８】表示の位置変換処理を説明するための図である。
【図９】ＣＥ装置およびコマンドのカーソルによる選択例を示す図である。
【図１０】従来の電子機器装置の一例の構成を示すブロック図である。
【符号の説明】
１１，１２  ＣＥ装置
１１ａ，１２ａ，１３ａ  マイクロプロセッサ
１３  ＣＥコントローラ
１３ｂ  コマンドパラメータ用メモリ
１３ｃ  コマンドボタン用メモリ
１３ｆ  リモコン信号受信部
１３ｇ  表示制御回路
１４  ＣＥバス
１５  リモコンコマンダ
１６，１６ａ  表示器
２０  カーソル
【図１】
0003879691.tif 000002
【図２】
0003879691.tif 000003
【図３】
0003879691.tif 000004
【図４】
0003879691.tif 000005
【図５】
0003879691.tif 000006
【図６】
0003879691.tif 000007
【図７】
0003879691.tif 000008
【図８】
0003879691.tif 000009
【図９】
0003879691.tif 000010
【図１０】
0003879691.tif 000011